(57)【要約】【課題】２Ｘ４工法等の軸組壁工法、及び在来工法である木造軸組工法による既設の木造建築物等に制振構造を適用する場合等においても、容易に施工することのできる建築用パネルを提供する。【解決手段】隣接する２本の間柱２、３と、相対向する上下繋ぎ材４、５とで形成されたフレーム６と、フレーム６の内部空間を塞ぐように、フレーム６の中央部に固定された面材７とを備える建築用パネル１。制振構造を構成するにあたって、所望の空間に建築用パネル１を挿入し、釘８、９等で固定するだけで容易に取り付けることができ、既設の木造建築物等に対して容易に施工することができる。面材７を、ＯＳＢボード、合板、石膏ボード、ＢＬＢ又は鉄板とすることができる。【選択図】図１
2007277898.tif 000002
【特許請求の範囲】
【請求項１】
互いに平行な２本の間柱と、互いに平行な上下繋ぎ材とで形成されたフレームと、
該フレームの内部空間を塞ぐように、該フレームの中央部に固定された面材とを備えることを特徴とする建築用パネル。
【請求項２】
前記面材は、ＯＳＢボード、合板、石膏ボード、ＢＬＢ又は鉄板であることを特徴とする請求項１に記載の建築用パネル。
【発明の詳細な説明】
【技術分野】
【０００１】
本発明は、建築用パネルに関し、特に、２Ｘ４工法等の軸組壁工法、及び在来工法である木造軸組工法による木造建築物等の制振を行うにあたって使用される建築用パネルに関する。
【背景技術】
【０００２】
従来、強風や地震等による木造建築物の揺れを抑えるため、種々の制振構造が提案されている。例えば、特許文献１には、床パネルと、壁パネルとで構成されるユニット建物の制振構造において、床パネルの内部に制振装置を設けて建物の水平振動を制振している。
【０００３】
しかし、上記特許文献１に記載の建物の制振構造は、取付金具と、制振ゴムと、ウエイトと、制振ばねとを組み立てることにより構成しているため、構造が複雑で、一つの建物に多数設置すると設置コストが高騰するという問題があった。また、その他の建物の制振構造についても、構造が複雑なものが多く、設置コストが高い割には、それに見合う効果を奏するものは見当たらなかった。また、２Ｘ４工法等の軸組壁工法においても、同様の問題が存在していた。
【０００４】
そこで、本出願人は、簡易な構成で、低コストで、効率的な制振を行うことが可能な建物の制振構造として、図３に示すように、隣接する２本の柱３２、３３と、梁３４と、土台３５と、２本の横桟３６、３７と、上側及び下側のフレーム内に配置された振動追従板としてのＯＳＢボード（又は合板等）３８、３９とで構成され、中央フレーム内が空間４０となっている制振構造３１を提案した。
【０００５】
この制振構造３１によれば、図４に示すように、横架材３６、３７と、ＯＳＢボード３８、３９とを備えるため、地震等の際に中間部４１のみが変形し、層間変形がδ１＝δ１’となるため、層間変形を中間部の空間位置に凝結させることができるとともに、せん断抵抗機能を併せ持つ構造を実現することができる。
【０００６】
また、本出願人は、建物の制振構造として、図５に示すように、隣接する２本の柱５２、５３と、土台５４及び梁５５と、横桟５６と、上側のフレーム内に配置された２つの壁制振ゴム構造５７、５８と、下側のフレーム内に配置された振動追従板としてのＯＳＢボード５９と、外壁材６０等で構成される制振構造５１を提案した。尚、ＯＳＢボード５９は、土台５４と横桟５６との間に配置された補強部材６１〜６４によって補強される。
【０００７】
上述のような構成を有する制振構造５１は、地震等の際に、上側の壁制振ゴム構造５７、５８を収装したフレーム部分において振動エネルギーを吸収し、下側のＯＳＢボード５９を固定したフレーム部分は、壁倍率を高くしてせん断抵抗機能を発揮させることができ、在来工法である木造軸組工法等において、簡易な構成で、低コストで、効率的な制振を行うことが可能となる。
【０００８】
【特許文献１】特開平１１−３２４４０４号公報
【発明の開示】
【発明が解決しようとする課題】
【０００９】
しかし、上記制振構造３１、５１を備えた木造建築物等については、新築する場合には容易に施工することができるが、既設の木造建築物等に適用するには、施工に手間がかかるという問題があった。また、この点については、木造軸組工法による建築物に限定されることなく、２Ｘ４工法等の軸組壁工法による建築物についても同様の問題があった。
【００１０】
そこで、本発明は、既設の木造建築物等に制振構造を適用する場合等においても、容易に施工することのできる建築用パネルを提供することを目的とする。
【課題を解決するための手段】
【００１１】
上記目的を達成するため、本発明は、建築用パネルであって、互いに平行な２本の間柱と、互いに平行な上下繋ぎ材とで形成されたフレームと、該フレームの内部空間を塞ぐように、該フレームの中央部に固定された面材とを備えることを特徴とする。
【００１２】
そして、本発明にかかる建築用パネルは、フレームと、該フレームの内部空間を塞ぐように、該フレームの中央部に固定された面材とを備えるため、制振構造を構成するにあたって、所望の空間に挿入し、釘等で固定するだけで容易に取り付けることができ、既設の木造建築物等に対して容易に施工することができる。
【００１３】
前記建築用パネルにおいて、前記面材を、ＯＳＢボード、合板、石膏ボード、ＢＬＢ又は鉄板とすることができる。
【発明の効果】
【００１４】
以上のように、本発明によれば、既設の木造建築物等を対象として、低コストで、効率的な制振を行うことが可能な建築用パネルを提供することができる。
【発明を実施するための最良の形態】
【００１５】
図１は、本発明にかかる建築用パネルの一実施の形態を示し、この建築用パネル１は、互いに平行な２本の木材からなる間柱２、３と、互いに平行な木材からなる上下繋ぎ材４、５とで形成されたフレーム６と、このフレーム６の内部空間を塞ぐように中央部に固定された面材としてのＯＳＢボード７とで構成される。尚、ＯＳＢボード７に代えて、合板、石膏ボード、ＢＬＢ又は鉄板等を使用することもできる。
【００１６】
次に、上記構成を有する建築用パネル１の施工例について、図２を参照しながら説明する。
【００１７】
同図は、図３に示した制振構造を実現するために建築用パネル１を施工した場合を示し、隣接する２本の柱１２、１３と、梁１４と、土台１５とで構成されるフレーム内の上下に建築用パネル１を嵌め込むようにして取り付けるとともに、図２（ｃ）に示すように、釘８、９で建築用パネル１の上繋ぎ材４を梁１４に打ち付け、間柱２、３も同様に釘で柱１２、１３に打ち付けて建築用パネル１をフレーム内に取り付けることにより、上下に建築用パネル１を有し、その間に空間１０を形成した制振構造１１を構成している。
【００１８】
また、図示を省略するが、建築用パネル１を、図５に示した柱５２、５３、土台５４及び梁５６からなるフレーム状の部分（ＯＳＢボード５９並びに補強部材６１乃至６４が存在しないものとする）の内部空間に単数又は複数配置することにより、図５に示した制振構造と同等の構造を実現することもできる。
【００１９】
上述のように、本発明によれば、予め建築用パネル１を製作し、既設の木造建築物に釘等で簡単に取り付けて制振構造を構成することができるため、既設の木造建築物を制振構造とするにあたって、低コストで実現することができる。
【００２０】
また、上記実施の形態においては、本発明にかかる建築用パネル１を在来工法である木造軸組工法による木造建築物に適用した場合について説明したが、２Ｘ４工法等の軸組壁工法にも適用することができる。すなわち、既設の軸組壁工法による木造建築物のパネルの内側に建築用パネル１を取り付けることにより、容易に制振構造を構成することができる。
【図面の簡単な説明】
【００２１】
【図１】本発明にかかる建築用パネルの一実施の形態を示す図であって、（ａ）は正面図、（ｂ）は側面図、（ｃ）は（ａ）のＡ−Ａ線断面図、（ｄ）は上面図である。
【図２】図１の建築用パネルの施工例を示す図であって、（ａ）は正面図、（ｂ）は（ａ）のＢ−Ｂ線断面図、（ｃ）は（ｂ）のＸ部拡大図である。
【図３】制振構造の一例を示す図であって、（ａ）は正面図、（ｂ）は（ａ）のＤ−Ｄ線断面図、（ｃ）は（ａ）のＥ−Ｅ線断面図、（ｄ）は（ａ）のＦ−Ｆ線断面図である。
【図４】図３の制振パネルの機能を説明するための概略図である。
【図５】制振構造の一例を示す図であって、（ａ）は正面図、（ｂ）は（ａ）のＧ−Ｇ線断面図、（ｃ）は（ａ）のＨ−Ｈ線断面図である。
【符号の説明】
【００２２】
１  建築用パネル
２  間柱
３  間柱
４  上繋ぎ材
５  下繋ぎ材
６  フレーム
７  ＯＳＢボード
８  釘
９  釘
１０  空間
１１  免震構造
１２  柱
１３  柱
１４  梁
１５  土台
【図１】
2007277898.tif 000003
【図２】
2007277898.tif 000004
【図３】
2007277898.tif 000005
【図４】
2007277898.tif 000006
【図５】
2007277898.tif 000007